(57)【要約】【課題】  各種のサンダル類（サンダル、ミュール、パンプス等）が足から脱落し易いという点を克服し、かつ、容易に着脱可能なサンダル用ホルダーを提供する。【解決手段】  サンダル用ホルダー１は、サンダル類Ｓの履用時にサンダル類Ｓの下部土踏まず部分から足の甲にかけての部分に装着して緊縛感を提供可能な帯状部を備える。【選択図】  図３
2006230816.tif 000002
【特許請求の範囲】
【請求項１】
サンダル類の履用時に、当該サンダル類を足に保持するためのサンダル用ホルダーであって、前記サンダル類の履用時に前記サンダル類の下部土踏まず部分から前記足の甲にかけての部分に装着して緊縛感を提供可能な帯状部を備えたことを特徴とするサンダル用ホルダー。
【請求項２】
前記帯状部は、前記サンダル類の下部土踏まず部分から前記足の甲にかけての部分を包囲可能な筒状であって、その少なくとも一部が伸縮性を有する部材からなり、前記サンダル類の履用時には前記サンダル類の下部土踏まず部分から前記足の甲にかけての部分を筒状の前記帯状部で包囲するように装着して緊縛感を提供可能にしたことを特徴とする請求項１記載のサンダル用ホルダー。
【請求項３】
前記帯状部は、前記サンダル類の下部土踏まず部分から前記足の甲にかけての部分に巻きつけ可能なベルト状であって、その長さを調節しつつ固定するための固定部を有しており、前記サンダル類の履用時には前記サンダル類の下部土踏まず部分から前記足の甲にかけての部分にベルト状の前記帯状部を巻きつけると共に前記固定部により固定することで緊縛感を提供可能にしたことを特徴とする請求項１記載のサンダル用ホルダー。
【請求項４】
前記帯状部は、前記サンダル類の下部土踏まず部分から前記足の甲にかけての部分に巻きつけ可能な可撓性部材からなり、前記サンダル類の履用時には前記サンダル類の下部土踏まず部分から前記足の甲にかけての部分に前記可撓性部材からなる前記帯状部を巻きつけて弾性的に装着することで緊縛感を提供可能にしたことを特徴とする請求項１記載のサンダル用ホルダー。
【発明の詳細な説明】
【技術分野】
【０００１】
本発明は、踵部分の開いたサンダルやミュール又は踵部分の脱げ易いパンプス等の履物（以下、サンダル類という）を履用する際、このサンダル類を足に保持して履用者に安定した履き心地を提供するためのサンダル用ホルダーに関する。
【背景技術】
【０００２】
従来のものはストラップやバンドを足首に巻きつけたりして利用するものが存在していたが（例えば特許文献１を参照）、着脱操作が簡便でなかったり、利用できるサンダルの種類も限られていた。また、専用のサンダルにしか用いることが出来なかったりして（例えば特許文献２を参照）、幅広い活用が期待しにくいものであった。
【特許文献１】特開２００３−９９０９号公報
【特許文献２】特開平４−３６１７０１号公報
【発明の開示】
【発明が解決しようとする課題】
【０００３】
本発明は、各種サンダル類において、歩行時に足に保持されず、踵がサンダルから浮いた状態となって脱落し易い点を克服することである。
また、履用者の好みに応じて本来の圧迫感の少ない履き心地を求める際は、容易に着脱可能なことである。
【課題を解決するための手段】
【０００４】
本発明は、サンダル類の履用時に、当該サンダル類を足に保持するためのサンダル用ホルダーであって、前記サンダル類を履用時に、前記サンダル類の下部土踏まず部分から足の甲にかけての部分に装着することで緊縛感を提供可能な帯状部を備えることを特徴とするものである。
【０００５】
上記の帯状部は、上述した課題を解決可能な範囲内で各種の形態を採用可能であるが、例えば次のような形態が望ましい。
第１に、前記帯状部は、その少なくとも一部が伸縮性を有する部材からなり、前記サンダル類の下部土踏まず部分から足の甲にかけての部分を筒状に包囲するように装着することで緊縛感を得るように構成する。
【０００６】
第２に、前記帯状部を前記サンダル類の下部土踏まず部分から足の甲にかけての部分に巻きつけ可能なベルト状にし、その長さを調整しつつ固定するための固定部を設けるように構成する。
【０００７】
第３に、前記帯状部は、前記サンダル類の下部土踏まず部分から足の甲にかけての部分を、巻きつけ可能な可撓性部材を使用し、前記帯状部を巻きつけて弾性的に装着可能なように構成する。
【０００８】
上記いずれの構成を用いても、着脱は容易に可能であり、脱落し易い欠点も克服可能である。
【発明の効果】
【０００９】
本発明のサンダル用ホルダーを用いれば、サンダル類を履いて歩行する時にも、サンダル類を足にしっかりと保持することができるので、踵がサンダル類から浮いた状態となって脱落するという問題点を見事に解消することができる。
【００１０】
また、本発明のサンダル用ホルダーは、サンダル類の下部土踏まず部分から足の甲にかけての部分に装着する帯状部からなる非常に簡素な構造であるため、履用者の好みに応じて簡単に着脱することができ、よって、もし本来の圧迫感の少ない履き心地を求める際は、ホルダーを容易かつ即座に取り外すこともできる。
【発明を実施するための最良の形態】
【００１１】
以下、図面を参照しながら、本発明の実施の形態について詳細に説明する。
図1及び図２は、本発明の第１の実施形態に係るサンダル用ホルダー１の平面図及び底面図である。
【００１２】
このサンダル用ホルダー１は、その全体が、サンダル類の履用時にその下部土踏まず部分から足の甲にかけての部分を包囲するように装着可能な筒状（ループ状）の帯状部を構成している（図３を参照）。そして、この帯状部は、装着時に足の甲側に位置する、例えば布等の素材でできた甲当て部２と、装着時にサンダル類の下部土踏まず側に位置する、例えばゴムやゴムひも等の伸縮性を有する伸縮部３とを、全体がループ状になるよう縫合したものである。
【００１３】
このような構成からなるホルダー１を使用するには、サンダル類を履く前に、予めホルダー１のループ中にサンダル類を挿通しておき、その状態で、足を爪先からホルダー１のループ中に挿通しつつサンダル類に挿入してやるだけでよい。或いは、サンダル類に足を挿入した後に、その全体を爪先側からホルダー１に挿入するようにしてもよい。
【００１４】
このようにすることで、図３に示すように、ホルダー１がサンダル類Ｓの下部土踏まず部分から足の甲にかけての部分に装着されて、伸縮部３の伸縮性による適度な緊縛感を提供することができる。その結果、歩行時にもホルダー１によってサンダル類を足にしっかりと保持することができるので、踵がサンダル類から浮いた状態となって脱落するという問題点を見事に解消して、非常に安定した履き心地を提供することができる。しかも、ホルダー１の着脱は極めて簡単であるため、もし履用者の好みに応じて本来の圧迫感の少ない履き心地を求める際は、ホルダー１を簡単に取り外すことができる。
【００１５】
なお、甲当て部２及び伸縮部３の材質、サイズ、形状等は、上記のような緊縛感を提供可能な範囲内で、ホルダー１の着脱性を考慮しつつ、各種のものを適宜採用可能である。
次に、図４及び図５は、本発明の第２の実施形態に係るサンダル用ホルダー１０の平面図及び底面図である。
【００１６】
このサンダル用ホルダー１０は、その全体が、サンダル類の下部土踏まず部分から足の甲にかけての部分に巻きつけ可能なベルト状の帯状部を構成している。そして、この帯状部は、例えば布等の素材でできたベルト本体１１と、このベルト本体１１の一端に取り付けられた長円形のリング１２と、ベルト本体１１の他端側に取り付けられたマジックテープ１３と、ベルト本体１１の中央部付近に取り付けられて上記マジックテープ１３と密着固定可能なもう１つのマジックテープ１４とを備えている。上記のリング１２及びマジックテープ１３、１４は、ホルダー１０の使用時にベルト本体１１の長さを調節しつつループ状に固定するための固定部として作用する。
【００１７】
このような構成からなるホルダー１０を使用するには、サンダル類を履いた状態で、サンダル類の下部土踏まず部分から足の甲にかけての部分にベルト本体１１を巻きつけると共に、リング１２及びマジックテープ１３、１４により、適当な緊縛感が得られる状態に固定するだけでよい。固定するには、マジックテープ１４が表面に現れるようにした状態で、ベルト本体１１の先端部（マジックテープ１３の取り付けられている側）をリング１２の中に下から上に抜ける様に通してから折り返し、マジックテープ１３をマジックテープ１４上の所望の位置に密着固定するだけでよい。図６はその固定された状態を示す。
このようにすることで、図７に示すように、ホルダー１０がサンダル類Ｓの下部土踏まず部分から足の甲にかけての部分に装着されて、マジックテープ１３、１４の固定位置に応じた適度な緊縛感を提供することができる。その結果、第１の実施形態の場合と同様、歩行時にも非常に安定した履き心地を提供することができ、また、履き心地等の好みに応じて簡単に着脱することもできる。
【００１８】
なお、ベルト本体１１の材質、サイズ、形状等は、上記のような緊縛感を提供可能な範囲内で、ホルダー１０の着脱性を考慮しつつ、各種のものを適宜採用可能である。また、固定部としてリング１２及びマジックテープ１３、１４を採用したが、その他の固定手段を採用してもよい。
【００１９】
次に、図８は、本発明の第３の実施形態に係るサンダル用ホルダー２０の斜視図である。
このサンダル用ホルダー20は、その全体が、サンダル類の下部土踏まず部分から足の甲にかけての部分に巻きつけ可能な、プラスチック等の弾性を有する可撓部材からなる略渦巻き状の帯状部を構成している。そして、この帯状部における一端は、図９に示すようにサンダル類Ｓの底部を挟持可能なサンダル保持部２１を構成し、他端は、履用時に図１０に示すように足の甲側に位置する甲当て部２２を構成している。
【００２０】
このような構成からなるホルダー２０を使用するには、先ず、図９に示すようにサンダル保持部２１をサンダル類Ｓの下部土踏まず部分にサンダル保持部２１自体の可撓性を利用して弾性的に固定し、その状態で、足をサンダル保持部２１と甲当て部２２との間を介してサンダルＳ内に挿入させる。
【００２１】
このようにすることで、図１０に示すように、ホルダー２０がサンダル類Ｓの下部土踏まず部分から足の甲にかけての部分に装着されて、ホルダー２０自体の弾力による適度な緊縛感を提供することができる。その結果、第１及び第２の実施形態の場合と同様、歩行時にも非常に安定した履き心地を提供することができ、また、履き心地等の好みに応じて簡単に着脱することもできる。
【００２２】
なお、ホルダー２０の材質、サイズ、形状等は、上記のような緊縛感を提供可能な範囲内で、ホルダー２０の着脱性を考慮しつつ、各種のものを適宜採用可能である。
【図面の簡単な説明】
【００２３】
【図１】本発明の第１の実施形態に係るサンダル用ホルダー１の平面図である。
【図２】本発明の第１の実施形態に係るサンダル用ホルダー１の底面図である。
【図３】本発明の第１の実施形態に係るサンダル用ホルダー１を装着した状態を示す図である。
【図４】本発明の第２の実施形態に係るサンダル用ホルダー１０の平面図である。
【図５】本発明の第２の実施形態に係るサンダル用ホルダー１０の底面図である。
【図６】本発明の第２の実施形態に係るサンダル用ホルダー１０をループ状に固定した状態を示す斜視図である。
【図７】本発明の第２の実施形態に係るサンダル用ホルダー１０を装着した状態を示す図である。
【図８】本発明の第３の実施形態に係るサンダル用ホルダー２０の斜視図である。
【図９】本発明の第３の実施形態に係るサンダル用ホルダー２０をサンダルＳに取り付けた状態を示す図である。
【図１０】本発明の第３の実施形態に係るサンダル用ホルダー２０を装着した状態を示す図である。
【符号の説明】
【００２４】
１  サンダル用ホルダー
２  甲当て部
３  伸縮部
１０  サンダル用ホルダー
１１  ベルト本体
１２  リング
１３、１４  マジックテープ
２０  サンダル用ホルダー
２１  サンダル保持部
２２  甲当て部
【図１】
2006230816.tif 000003
【図２】
2006230816.tif 000004
【図３】
2006230816.tif 000005
【図４】
2006230816.tif 000006
【図５】
2006230816.tif 000007
【図６】
2006230816.tif 000008
【図７】
2006230816.tif 000009
【図８】
2006230816.tif 000010
【図９】
2006230816.tif 000011
【図１０】
2006230816.tif 000012